(57)【要約】【課題】隣接するエレベーターが誤動作することなく、エレベーターの保守運転を安全に実行しえるエレベーターの保守運転システムの提供。【解決手段】上記課題は、携帯端末機５によって入力された各エレベーターを特定するための特定データと、通信変換装置３のエレベーター固有情報記憶部１８に予め記憶されるところのエレベーターに付けられた固有情報データが一致して、しかも、エレベーター呼び釦６が操作されることで特定されるエレベーター特定条件が満たされた場合にのみ、携帯端末機５からの通信による指令によってエレベーター制御盤１のエレベーター制御部８の動作を可能とすることで、エレベーターの保守運転を実行させることにより、解決できる。【選択図】図１
2005298122.tif 000002
【特許請求の範囲】
【請求項１】
乗りかごが昇降する昇降路内に設置した運転管理制御を行うエレベーター制御盤と、このエレベーター制御盤に第１の通信手段により接続された通信変換装置と、この通信変換装置に第２の通信手段により接続された携帯端末機と、エレベーターを特定するためのエレベーター特定条件を設定するために操作されるエレベーター呼び釦とから少なくとも構成され、前記携帯端末機によって入力された各エレベーターを特定するための特定データと前記通信変換装置のエレベーター固有情報記憶部に予め記憶されるところのエレベーターに付けられた固有情報データとが一致して、しかも、前記エレベーター呼び釦が操作されることで特定されるエレベーター特定条件が満たされた場合に、前記携帯端末機からの通信による指令によって前記エレベーター制御盤のエレベーター制御部の動作を可能とすることにより、エレベーターの保守運転を実行させる構成にしたことを特徴とするエレベーターの保守運転システム。
【請求項２】
前記エレベーター制御盤を、前記通信変換装置との通信を司る制御盤用有線通信部と、前記エレベーター制御盤内の各部を制御する前記エレベーター制御部と、前記エレベーター呼び釦がエレベーター特定条件を満たすように押されたか否かを記憶する呼び釦状態記憶部とから構成すると共に、前記携帯端末機を、前記通信変換装置との通信を司る携帯端末用無線通信部と、前記携帯端末機内の各部を制御する携帯端末用制御部と、各種のデータの入力や運転操作を行う操作部とから構成し、しかも、前記通信変換装置を、前記エレベーター制御盤との間のデータ授受を前記第１の通信手段を介して行うための通信変換装置用有線通信部と、前記携帯端末機との間のデータ授受を第２の通信手段を介して行うための通信変換装置用無線通信部と、この通信変換装置用無線通信部の電気信号と前記通信変換装置用有線通信部の電気信号を互いに入出力可能となるように電気的に変換するための通信変換部と、前記通信変換装置内の各部を制御する通信変換装置用制御部と、エレベーターを特定する固有情報データが予め記憶されるエレベーター固有情報記憶部と、前記携帯端末機の操作部によって入力された前記特定データと前記固有情報データとを比較してその両者が同一か否かの比較結果を記憶させる固有情報一致状態記憶部とから構成したことを特徴とする請求項１記載のエレベーターの保守運転システム。
【請求項３】
前記呼び釦状態記憶部に、エレベーター特定条件を満たすようにエレベーター呼び釦が操作されたことが記憶され、かつ、前記固有情報一致状態記憶部に、前記特定データと前記固有情報データの両者が一致するとの比較結果が記憶されたときに、前記携帯端末機からの通信による指令によって前記エレベーター制御盤のエレベーター制御部の動作が可能となるようにしたことを特徴とする請求項１若しくは２記載のエレベーターの保守運転システム。
【請求項４】
前記第１の通信手段を有線回線とすると共に、前記第２の通信手段を無線回線としたことを特徴とする請求項１、２若しくは３記載のエレベーターの保守運転システム。
【発明の詳細な説明】
【技術分野】
【０００１】
本発明は、エレベーターの保守運転システムに関するものである。
【背景技術】
【０００２】
従来のエレベーターの保守運転システムとしては、エレベーター制御盤との間でデータを無線通信するための通信用コネクタを、エレベーターホールに設けると共に、この通信用コネクタに接続された保守作業用携帯端末機を操作することにより、エレベーターの保守運転を行うようにしたものが知られていた（特許文献１参照）。  
【０００３】
さらに、従来のエレベーターの保守運転システムとしては、エレベーター制御盤に接続され、かつ、エレベーターの乗りかごの上に設置された受信機と、この受信機に指令を送信するワイヤレス送信機とを設け、エレベーターホールでワイヤレス送信機を操作することにより、エレベーターの保守運転を行うようにしたものが知られていた（特許文献２参照）。  
【特許文献１】特開平１１−２６３５４６号公報（段落番号００１１から段落番号００１５、図３）
【特許文献２】実開平２−１２０４８２号公報（３頁２０行から５頁６行、図２）
【発明の開示】
【発明が解決しようとする課題】
【０００４】
しかしながら、上述した特開平１１−２６３５４６号公報に記載のエレベーターの保守運転システムでは、エレベーターホールに設けた通信用コネクタとエレベーター制御盤との間を無線化しているが、通信用コネクタと保守作業用携帯端末機とを通信ケーブルで接続しているので、予め通信ケーブルを用意しておく必要があって、かつ、その通信用コネクタへの通信ケーブルの接続作業が煩雑であり、しかも、その通信ケーブルの長さの範囲でしか、エレベーターの保守運転を行うことができないという問題があった。
【０００５】
さらに、上述した実開平２−１２０４８２号公報に記載のエレベーターの保守運転システムでは、エレベーターが複数台並列して設置されている設置現場において、エレベーターホールでワイヤレス送信機を操作した場合に、保全作業をしようとするエレベーターに隣接した他のエレベーターが、エレベーターの保守運転をしてしまう危険性があるという問題があった。
【０００６】
本発明は、上述した問題点に鑑みてなされたもので、その目的は、エレベーターが複数台並列して設置されている設置現場であっても、保全作業をしようとするエレベーター以外のエレベーターが保守運転するという誤動作を確実に防止できる安全性の優れたエレベーターの保守運転システムを提供するにある。
【課題を解決するための手段】
【０００７】
上記目的は、乗りかごが昇降する昇降路内に設置した運転管理制御を行うエレベーター制御盤と、このエレベーター制御盤に第１の通信手段により接続された通信変換装置と、この通信変換装置に第２の通信手段により接続された携帯端末機と、エレベーターを特定するためのエレベーター特定条件を設定するために操作されるエレベーター呼び釦とから少なくとも構成され、前記携帯端末機によって入力されたエレベーターを特定するための特定データと、前記通信変換装置のエレベーター固有情報記憶部に予め記憶されるところのエレベーターに付けられた固有情報データが一致して、しかも、前記エレベーター呼び釦が操作されることで特定されるエレベーター特定条件が満たされた場合に、前記携帯端末機からの通信による指令によって前記エレベーター制御盤のエレベーター制御部の動作を可能とすることにより、エレベーターの保守運転を実行させる構成とすることにより、達成できる。
【発明の効果】
【０００８】
本発明によれば、エレベーターが複数台並列して設置されている設置現場であっても、保全作業をしようとするエレベーター以外のエレベーターのエレベーター制御盤が誤動作することを防止できると共に、通信ケーブルの長さに規制されることなく、かつ、保守作業が煩雑になることなく、エレベーターの保守運転を安全に実行しえるエレベーターの保守運転システムを提供できる。
【発明を実施するための最良の形態】
【０００９】
以下、本発明に係るエレベーターの保守運転システムの一実施形態を図面に基づいて説明する。図１は、本発明の一実施形態を示すエレベーターの保守運転システム全体の機能ブロック図である。図２は本発明の一実施形態に係わるエレベーターの保守運転システムによる保守運転の処理手順を示すフローチャートである。
【００１０】
図１に示すエレベーターの保守運転システムは、乗りかごが昇降する昇降路内に設置した運転管理制御を行うエレベーター制御盤１と、このエレベーター制御盤１に第１の通信手段２により接続された通信変換装置３と、この通信変換装置３に第２の通信手段４により接続された携帯電話などからなる携帯端末機５と、エレベーターを特定するためのエレベーター特定条件を設定するためのエレベーター呼び釦６とから少なくとも構成され、携帯端末機５からの通信による指令をエレベーター制御盤１に伝達することによりエレベーターの保守運転を実行させるようにしている。第１の通信手段２は、例えば、電話回線などの有線回線からなっている。第２の通信手段４は、例えば、赤外線や電波などの無線回線からなっている。
【００１１】
エレベーター制御盤１は、図１に示すように、通信変換装置３との通信を司る制御盤用有線通信部７と、エレベーター制御盤１内の各部の制御及びエレベーターの運行制御並びに通信変換装置３との通信制御及びエレベーター呼び釦状態の記憶制御を行うエレベーター制御部８と、エレベーター呼び釦６がエレベーター特定条件を設定するために操作されたか否かの状態を記憶する呼び釦状態記憶部９とから、少なくとも構成されている。エレベーター呼び釦６は、図１に示すように、エレベーターの乗り場に設置されていて、エレベーターの乗降のために操作するアップ呼び登録釦６Ａ及びダウン呼び登録釦６Ｂを、少なくとも備えている。
【００１２】
携帯端末機５は、図１に示すように、通信変換装置３との通信を司る携帯端末用無線通信部１０と、その携帯端末機５内の各部を制御して各種のデータの読み出し動作及び画像表示などを制御する携帯端末用制御部１１と、エレベーターの運行情報データや運行状態を表示する画面表示部１２と、各種のデータの入力や運転操作を行う操作部１３とから、少なくとも構成されている。
【００１３】
通信変換装置３は、図１に示すように、エレベーター制御盤１との間のデータ授受を、例えば、ＲＳ−２３２Ｃ通信などの第１の通信手段２にて行うための通信変換装置用有線通信部１４と、携帯端末機５との間のデータ授受を第２の通信手段４にて行うための通信変換装置用無線通信部１５と、この通信変換装置用無線通信部１５の電気信号と通信変換装置用有線通信部１４の電気信号を互いに入出力可能となるように電気的に変換するための通信変換部１６と、通信変換装置３内の各部を制御して各種データの読み出し動作などを制御する通信変換装置用制御部１７と、各エレベーターを特定するために各エレベーターにそれぞれ付けた固有情報データＤ1が予め記憶されるエレベーター固有情報記憶部１８と、携帯端末機５の操作部１３によって入力された各エレベーターを特定するための特定データＤ２とエレベーター固有情報記憶部１８に記憶された固有情報データＤ1とを比較してその両者が同一か否かの比較結果を記憶させる固有情報一致状態記憶部１９とから、少なくとも構成されている。各エレベーターに付けた固有情報データは、例えば、ＡＢ１２３４−５６などのように、英数字からなるエレベーターの製造番号からなっている。
【００１４】
次に、上記実施形態のエレベーターの保守運転システムによる保守運転の処理手順を、図２に基づいて、詳説する。
【００１５】
まず、携帯端末機５の操作部１３を操作して、エレベーターの製造番号などのエレベーターを特定するための特定データＤ２を、図２の手順Ｓ１に示すように、入力した後、その特定データＤ２を、携帯端末機５の携帯端末用無線通信部１０から通信変換装置３の通信変換装置用無線通信部１５に、図２の手順Ｓ２に示すように、無線回線からなる第２の通信手段４により、送信する。
【００１６】
次いで、通信変換装置３の通信変換装置用無線通信部１５に特定データＤ２が送信されると、図２の手順Ｓ３に示すように、その特定データＤ２と通信変換装置３のエレベーター固有情報記憶部１８に予め記憶されている固有情報データＤ1とを通信変換装置用制御部１７で比較すると共に、その特定データＤ２と固有情報データＤ1の両者が同一か否かの比較した比較結果を固有情報一致状態記憶部１９に記憶保管する。
【００１７】
次いで、図２の手順Ｓ４において、特定データＤ２と固有情報データＤ1の両者が一致していないとの比較結果が固有情報一致状態記憶部１９に記憶されているときには、図２の手順Ｓ１に戻り、手順Ｓ１―手順Ｓ２―手順Ｓ３―手順Ｓ４が、再度、実行される。
【００１８】
図２の手順Ｓ４において、特定データＤ２と固有情報データＤ1の両者が一致するとの比較結果が固有情報一致状態記憶部１９に記憶されているときには、携帯端末機５からの各種データをエレベーター制御盤１に送信可能となり、図２に示す手順Ｓ５に進む。
【００１９】
次いで、図２の手順Ｓ５では、エレベーターの乗り場に設置されたエレベーター呼び釦６のアップ呼び登録釦６Ａ若しくはダウン呼び登録釦６Bのいずれかを押すと共に、そのアップ呼び登録釦６Ａ若しくはダウン呼び登録釦６Bのいずれかが１０秒以上押された場合には、そのアップ呼び登録釦６Ａ若しくはダウン呼び登録釦６Bのいずれかが１０秒以上押されたこと、換言すれば、エレベーター呼び釦６がエレベーター特定条件を満たすように押されたということが、エレベーター制御盤１の呼び釦状態記憶部９に記憶保管されて、その後、図２の手順Ｓ６に進む。
【００２０】
次いで、図２の手順Ｓ６では、アップ呼び登録釦６Ａ若しくはダウン呼び登録釦６Bのいずれかが１０秒以上押されたか否か、換言すれば、エレベーター呼び釦６がエレベーター特定条件を満たすように押されたか否かが判断される。図２の手順Ｓ６に示すように、アップ呼び登録釦６Ａ若しくはダウン呼び登録釦６Bのいずれかが１０秒以上押されないと判断された場合、換言すれば、エレベーター呼び釦６がエレベーター特定条件を満たすように押されない場合には、図２の手順Ｓ５に戻り、手順Ｓ５―手順Ｓ６が、再度、実行される。
【００２１】
図２の手順Ｓ６において、アップ呼び登録釦６Ａ若しくはダウン呼び登録釦６Bのいずれかが１０秒以上押されたと判断された場合、換言すれば、エレベーター呼び釦６がエレベーター特定条件を満たすように押された場合には、図２の手順Ｓ７に進み、携帯端末機５からの通信によりエレベーターのデータ読み出し及び運行を可能にし、図２の手順Ｓ８に進む。
【００２２】
次いで、図２の手順Ｓ８では、携帯端末機５を操作することにより、通信変換装置３と通信して、エレベーターの保守運転用コマンドがエレベーター制御盤１に送信される。
【００２３】
最後に、図２の手順Ｓ９に示すように、エレベーターの保守運転用コマンドに基づき、エレベーター制御盤１のエレベーター制御部８が動作して、エレベーターの保守運転が実行される。
【００２４】
以上のように、上記実施形態のエレベーターの保守運転システムによれば、携帯端末機５によって入力された各エレベーターを特定するための特定データと通信変換装置３のエレベーター固有情報記憶部１８に予め記憶されるところの各エレベーターにそれぞれ付けられた固有情報データとが一致して、しかも、エレベーター呼び釦６が操作されることで特定されるエレベーター特定条件が満たされた場合にのみ、携帯端末機５からの通信による指令によってエレベーター制御盤３のエレベーター制御部８の動作が可能となるため、エレベーター呼び釦６の操作で特定されたエレベーターに隣接する他のエレベーターが誤動作することがない。
【００２５】
上記実施形態のエレベーター呼び釦６は、エレベーターの乗り場に設置されたものとしているが、これに限定されない。エレベーター呼び釦６は、エレベーターの乗りかご内の行き先階指定釦であってもよい。また、上記実施形態では、エレベーター特定条件を、エレベーター呼び釦６のアップ呼び登録釦６Ａ若しくはダウン呼び登録釦６Bのいずれかが１０秒以上押されたこととしているが、これに限定されない。乗りかご内の行き先階指定釦が２個以上同時に押された状態を、エレベーター特定条件とするようにしてもよい。
【図面の簡単な説明】
【００２６】
【図１】本発明の一実施形態を示すエレベーターの保守運転システム全体の機能ブロック図である。
【図２】本発明の一実施形態に係わるエレベーターの保守運転システムによる保守運転の処理手順を示すフローチャートである。
【符号の説明】
【００２７】
１    エレベーター制御盤
２    第１の通信手段
３    通信変換装置
４    第２の通信手段
５    携帯端末機
６    エレベーター呼び釦
６Ａ  アップ呼び登録釦
６Ｂ  ダウン呼び登録釦
７    制御盤用有線通信部
８    エレベーター制御部
９    呼び釦状態記憶部
１０  携帯端末用無線通信部
１１  携帯端末用制御部
１２  画面表示部
１３  操作部
１４  通信変換装置用有線通信部
１５  通信変換装置用無線通信部
１６  通信変換部
１７  通信変換装置用制御部
１８  エレベーター固有情報記憶部
１９  固有情報一致状態記憶部
【図１】
2005298122.tif 000003
【図２】
2005298122.tif 000004